(57)【要約】  セラミック組成物および容器が提供され、各場合において、２０％〜２５％（重量／重量）のアルミナ、好ましくは約２２％（重量／重量）のアルミナを含むセラミック組成物を提供する量のアルミナが添加されているセラミック（例えば、磁器、せっ器、磁器または両方の特性を有するセラミック組成物）組成物を含み、より強い材料を提供し、（例えば、二重壁の飲料容器の）壁厚が低減または最小化されて、より軽い二重壁のセラミック容器を形成できるようにする。開示された容器は、多数のせっ器釉薬に適した化学的多孔質構造を有し、せっ器に匹敵する吸水率特性を示す。それを製造する方法が提供される。【選択図】図１
2021531047.tif 000002
【特許請求の範囲】
【請求項１】
二重壁の飲料容器であって、
内側本体側壁を有する内側本体であって、前記内側本体は前記内側本体の上端部に上側本体端と、前記内側本体の下端部に下側本体端と、前記内側本体の前記下端部を閉鎖する前記内側本体の前記下端部に配置された内側本体端壁と、を有し、前記内側本体端壁は前記内側本体の前記下端部にある前記内側本体側壁と流体密に係合した、内側本体と、
前記内側本体側壁の周りに完全に延在する外側本体側壁を有する外側本体であって、前記外側本体は、前記外側本体の上端部に上側本体端と、前記外側本体の下側本体端部に下側本体端と、前記外側本体の前記下端部を閉鎖する前記外側本体の前記下端部に配置された外側本体端壁と、を有し、前記外側本体端壁は、前記外側本体の前記下端部にある前記外側本体側壁と流体密に係合し、前記内側本体の前記上端部および前記外側本体の前記上端部は強固に接続され、流体密に係合し、その下方で前記外側本体側壁は前記内側本体側壁の外側に間隔をあけて、前記外側本体側壁と前記内側本体側壁との間に第１の内部空間を画定し、前記外側本体端壁は前記内側本体端壁の下方に間隔をあけて配置されて、前記外側本体端壁と前記内側本体端壁との間に第２の内部空間を提供する、外側本体と、を含み、
前記内側本体側壁および前記外側本体側壁のうちの少なくとも１つは、２０〜２５％（重量／重量）の量のアルミナを含むセラミック組成物から形成されている、
ことを特徴とする二重壁の飲料容器。
【請求項２】
前記内側本体側壁および前記外側本体側壁の両方が、２０〜２５％（重量／重量）の量のアルミナを含む前記セラミック組成物から形成されている、
請求項１に記載の飲料容器。
【請求項３】
前記セラミック組成物が、約２２％（重量／重量）のアルミナを含む、
請求項１または２に記載の飲料容器。
【請求項４】
前記セラミック組成物が、せっ器もしくは磁器のもの、または両方の特性を有するセラミック組成物であり、各々の場合において、２０％〜２５％（重量／重量）のアルミナを含むセラミック組成物を提供して、せっ器釉薬に適した多孔質構造を提供する量のアルミナが添加されている、
請求項１または２のいずれか１項に記載の飲料容器。
【請求項５】
前記セラミック組成物が、せっ器もしくは磁器のもの、または両方の特性を有するセラミック組成物であり、各々の場合において、約２２％（重量／重量）のアルミナを含むセラミック組成物を提供する量のアルミナが添加されており、せっ器釉薬に適した多孔質構造を提供する、
請求項４に記載の飲料容器。
【請求項６】
前記セラミック組成物が、せっ器または磁器組成物であり、各々の場合において、２０％〜２５％（重量／重量）のアルミナを含むセラミック組成物を提供して、せっ器釉薬に適した多孔質構造を提供する量のアルミナが添加されている、
請求項４に記載の飲料容器。
【請求項７】
前記セラミック組成物が、せっ器または磁器組成物であり、各々の場合において、約２２％（重量／重量）のアルミナを含むセラミック組成物を提供する量のアルミナが添加されている、
請求項６に記載の飲料容器。
【請求項８】
前記セラミック組成物は、約２２％（重量／重量）のアルミナを含むセラミック組成物を提供する量のアルミナが添加されている磁器組成物である、
請求項７に記載の飲料容器。
【請求項９】
前記内側本体側壁および前記外側本体側壁の両方が、せっ器釉薬に適した多孔質構造を提供する前記量のアルミナが添加されている磁器組成物から形成されている、
請求項２ないし６のいずれか１項に記載の飲料容器。
【請求項１０】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第１の壁厚は、前記内側本体側壁および前記外側本体側壁の対向する位置において、前記第３の壁厚と同じか、またはそれよりも小さい、
請求項１ないし９のいずれか１項に記載の飲料容器。
【請求項１１】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第２の壁厚は、前記内側本体側壁および前記外側本体側壁の対向する位置において、前記第４の壁厚と同じか、またはそれよりも小さい、
請求項１ないし９のいずれか１項に記載の飲料容器。
【請求項１２】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第１の壁厚および前記第２の壁厚は、前記内側本体側壁および前記外側本体側壁の対向する位置において、前記第４の壁厚および第５の壁厚よりも小さい、
請求項１ないし９のいずれか１項に記載の飲料容器。
【請求項１３】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第１の壁厚および／または前記第３の壁厚は、それぞれ、前記内側本体および前記外側本体の前記上端部と前記内側本体および前記外側本体の前記下端部との間でテーパ状になっている、
請求項１ないし９のいずれか１項に記載の飲料容器。
【請求項１４】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第１の壁厚および前記第２の壁厚は、約１．７〜約２．１ｍｍの範囲にある、
請求項１ないし９のいずれか１項に記載の飲料容器。
【請求項１５】
前記内側本体の前記上端部に向かう前記内側本体側壁は第１の壁厚を有し、前記内側本体の前記下端部に向かう前記内側本体側壁は第２の壁厚を有し、前記外側本体の前記上端部に向かう前記外側本体側壁は第３の壁厚を有し、前記外側本体の前記下端部に向かう前記外側本体側壁は第４の壁厚を有し、前記第３の壁厚および前記第４の壁厚は、それぞれ、約２．６〜約３．０ｍｍおよび約３．０〜約４．３ｍｍの範囲にある、
請求項１ないし９のいずれか１項に記載の飲料容器。
【請求項１６】
前記外側本体端壁が、開口状態または閉鎖密閉状態において通気オリフィス特徴を含む、
請求項１ないし１５のいずれか１項に記載の飲料容器。
【請求項１７】
前記内側本体端壁が、２．８〜３．２ｍｍの範囲の厚さを有する、
請求項１ないし１６のいずれか１項に記載の飲料容器。
【請求項１８】
前記外側本体端壁が、３．８〜４．２ｍｍの範囲の厚さを有する、
請求項１ないし１７のいずれか１項に記載の飲料容器。
【請求項１９】
飲料容器を形成する方法であって、２０〜２５％（重量／重量）の量のアルミナを含むセラミック組成物を用いて二重壁の飲料容器を形成することを含む、
ことを特徴とする方法。
【請求項２０】
前記二重壁の飲料容器が、請求項１ないし１８のいずれか１項に従う、
請求項１９に記載の方法。
【請求項２１】
前記量のアルミナを除いて化学的に適さない釉薬を前記飲料容器に施釉することをさらに含む、
請求項１９または２０に記載の方法。
【発明の詳細な説明】
【技術分野】
【０００１】
関連出願の相互参照
本出願は、２０１８年７月１０日に出願された米国仮特許出願第６２／６９６，２９６号の利益を主張し、その開示は、その全体が参照により本明細書に組み込まれる。
【０００２】
特定の態様は、概して、セラミックピース（例えば、セラミック容器）の製造のための改良されたセラミック材料に関し、より特定の態様では、２０％〜２５％（重量／重量）のアルミナを含み、先行技術のセラミック容器に対して強化された強度、減少した重量、および優れた施釉特性を有する改良されたセラミック材料から形成された二重壁のセラミック飲料容器（例えば、二重壁のセラミックマグなど）に関する。
【背景技術】
【０００３】
現在、セラミック配合物（例えば、せっ器用粘土素地配合物、磁器用粘土素地配合物など）は、密の、硬い、およびガラス状の機能性セラミックピース（例えば、皿、飲料容器など）を形成するために使用されるが、このようなセラミックピースは、典型的には、所望の強度測定基準を達成するために必要とされる材料の寸法厚さにより重い。例えば、典型的な二重壁のセラミックマグ（断熱を提供するために壁間の間隙を有するように設計されている）は、二重壁を形成する際に使用されるセラミック材料の量／厚さにより重く、しばしば磁器で作られて強度を増加させ、適切に適用することができる様々な釉薬の種類を減少させる。
【発明の概要】
【０００４】
内側本体側壁を有する内側本体であって、内側本体は内側本体の上端部に上側本体端と、内側本体の下端部に下側本体端と、内側本体の下端部を閉鎖する内側本体の下端部に配置された内側本体端壁と、を有し、内側本体端壁は内側本体の下端部にある内側本体側壁と流体密に係合した、内側本体と、内側本体側壁の周りに完全に延在する外側本体側壁を有する外側本体であって、外側本体は、外側本体の上端部に上側本体端と、外側本体の下側本体端部に下側本体端と、外側本体の下端部を閉鎖する外側本体の下端部に配置された外側本体端壁と、を有し、外側本体端壁は、外側本体の下端部にある外側本体側壁と流体密に係合し、内側本体の上端部および外側本体の上端部は強固に接続され、流体密に係合し、その下方で外側本体側壁は内側本体側壁の外側に間隔をあけて、外側本体側壁と内側本体側壁との間に第１の内部空間を画定し、外側本体端壁は内側本体端壁の下方に間隔をあけて配置されて、外側本体端壁と内側本体端壁との間に第２の内部空間を提供する、外側本体と、を含み、内側本体側壁および外側本体側壁のうちの少なくとも１つは、２０〜２５％（重量／重量）の量のアルミナを含むセラミック組成物から形成されている、二重壁の飲料容器が提供される。飲料容器において、内側本体側壁および外側本体側壁の両方は、２０〜２５％（重量／重量）の量のアルミナを含むセラミック組成物から形成されてもよい。飲料容器において、セラミック組成物は、約２２％（重量／重量）のアルミナを含んでもよく、好ましくは含む。飲料容器において、セラミック組成物は、せっ器もしくは磁器のもの、または両方の特性を有するセラミック組成物でもよく、各々の場合において、２０％〜２５％（重量／重量）のアルミナ、好ましくは約２２％（重量／重量）のアルミナを含むセラミック組成物を提供する（例えば、せっ器釉薬に適した多孔質構造を提供する）量のアルミナが添加されている。飲料容器において、セラミック組成物は、せっ器または磁器組成物でもよく、各々の場合において、２０％〜２５％（重量／重量）のアルミナ、好ましくは２２％（重量／重量）のアルミナを含むセラミック組成物を提供する（例えば、せっ器釉薬に適した多孔質構造を提供する）量のアルミナが添加されている。好ましくは、飲料容器において、セラミック組成物は、約２２％（重量／重量）のアルミナ、好ましくは２２％（重量／重量）のアルミナを含むセラミック組成物を提供する（例えば、せっ器釉薬に適した多孔質構造を提供する）量のアルミナが添加されている磁器組成物でもよい。飲料容器において、内側本体側壁および外側本体側壁のうちの少なくとも一方、好ましくは両方が、せっ器釉薬に適した多孔質構造を提供する量のアルミナを含む磁器から形成されてもよい。
【０００５】
飲料容器において、内側本体の上端部に向かう内側本体側壁は第１の壁厚を有してもよく、内側本体の下端部に向かう内側本体側壁は第２の壁厚を有してもよく、外側本体の上端部に向かう外側本体側壁は第３の壁厚を有してもよく、外側本体の下端部に向かう外側本体側壁は第４の壁厚を有してもよく、第１の壁厚は、内側本体側壁および外側本体側壁の対向する位置において、第３の壁厚と同じか、もしくはそれよりも小さくてもよく、ならびに／または第２の壁厚は、内側本体側壁および外側本体側壁の対向する位置において、第４の壁厚と同じか、もしくはそれよりも小さくてもよく、ならびに／または第１の壁厚および第２の壁厚は、内側本体側壁および外側本体側壁の対向する位置において、第４の壁厚および第５の壁厚よりも小さくてもよく、ならびに／または第１の壁厚および／もしくは第３の壁厚は、それぞれ、内側本体および外側本体の上端部と内側本体および外側本体の下端部との間でテーパ状になっていてもよく、ならびに／または第１の壁厚および第２の壁厚は、約１．７〜約２．１ｍｍの範囲にあってもよく、ならびに／または第３の壁厚および第４の壁厚は、それぞれ、約２．６〜約３．０ｍｍおよび約３．０〜約４．３ｍｍの範囲にあってもよい。
【０００６】
飲料容器において、内側本体端壁は、２．８〜３．２ｍｍの範囲の厚さを有し、および／または外側本体端壁は、３．８〜４．２ｍｍの範囲の厚さを有する。飲料容器において、外側本体端壁は、開口状態または閉鎖密閉状態において通気オリフィス特徴を含んでもよい。
【０００７】
さらに、２０〜２５％（重量／重量）の量のアルミナ、好ましくは約２２％（重量／重量）のアルミナを含むセラミック組成物を用いて二重壁の飲料容器を形成することを含む、飲料容器を形成する方法が提供される。本方法において、二重壁の飲料容器は、上記または本明細書の請求項に記載されたもののいずれであってもよい。本方法は、その量のアルミナを除いて化学的に適さない釉薬を飲料容器に施釉することをさらに含んでもよい。
【図面の簡単な説明】
【０００８】
【図１】本発明の非限定的な例として、発明の第１の実施形態の側断面図を示す。
【図２】本発明の非限定的な例として、発明の第２の実施形態の側断面図を示す。
【発明を実施するための形態】
【０００９】
以下では、本発明の例示の実施形態を説明する。実施形態は、本発明を実施することができる例示的な方法を示す。図示の実施形態は、二重壁の飲料容器（例えば、マグ）に関連して説明しているが、改良されたセラミック材料は、他のタイプの飲料容器の製造にも使用することができる。以下の説明では、同様の数字は図中の同様の要素を表す。例えば、数字１０が１つの図において特定の要素を指すために使用される場合、任意の他の図において現れる数字１０は同じ要素を指す。
【００１０】
二重壁の容器
図１は、本発明の非限定的な例として、発明の実施形態を含有する二重壁の飲料容器の側断面図を示す。飲料容器１０は、下向きのテーパ状の輪郭を有する本体１２を有し、上端部１４は下端部１６よりも広く、中央部１８は、その間で延在している。必要に応じて、飲料容器１０は、実質的に円筒形の本体で構成され得る。図示された飲料容器１０は、ハンドルまたは蓋を有していないが、他の形態の容器は、ハンドルおよび／または蓋を含んでいてもよい。
【００１１】
本体１２は細長く、垂直に方向付けられた中心軸２０を有する。図１に示すように、本体１２は二重壁構造を有し、内側本体２２は外側本体２４内でかつ内側に位置決めされる。内側本体２２は、内側本体側壁２６を有し、外側本体２４は、外側本体側壁２８を有する。内側本体側壁２６および外側本体側壁２８は、縦軸２０の周りに完全にかつ対称に延在する。
【００１２】
内側本体２２は、内側本体の上端部３２に上側本体端３０を有し、内側本体の下端部３６に下側本体端３４を有する。内側本体端壁３８は、内側本体２２の下端部３６を閉鎖し、内側本体の下端部３６において内側本体側壁２６と流体密に係合して、飲料容器１０が直立位置にあるときに、飲料または他の物質、材料または品目（図示せず）を保持するための内側本体の上方開口内部空洞３９を画定する。
【００１３】
外側本体２４は、外側本体の上端部４２に上側本体端４０を有し、外側本体の下端部４６に下側本体端４４を有する。外側本体端壁４８は、外側本体２４の下端部４２を閉鎖する。外側本体端壁４８は、外側縁部５０を有し、外側本体２４の下端部４６において外側本体側壁２８と流体密に係合する。好ましい実施形態では、内側本体２２および外側本体２４は、一体構造として形成される。
【００１４】
内側本体側壁２６および外側本体側壁２８は断面が円形であるが、内側本体２２および外側本体２４のために他の形状が使用されてもよい。同様に、内側本体端壁３０および外側本体端壁４８は、概ね円形であるが、内側本体２２の下端部３６および外側本体２４の下端部４６の形状にそれぞれ適合する他の形状を有してもよい。
【００１５】
上側本体端３０における内側本体２２の上端部３２は、外側本体の上側本体端４０の下方の位置５６において、外側本体２４の上端部４２に強固に接続され、流体密に係合される。図示の実施形態では、内側本体２２および外側本体２４は、２２％（重量／重量）のアルミナを含むセラミック組成物を提供する量のアルミナが添加されているセラミック素地配合物（例えば、磁器、せっ器、磁器または両方の特性を有するセラミック組成物）で作られる（この例では、２２％（重量／重量）のアルミナを含むセラミック組成物を提供する量のアルミナが添加されている磁器素地配合物が使用された）。強固な接続および流体密な係合は、内側本体の上端部３２を外側本体の上端部４２に取り付ける（例えば、焼成炉内で溶融する）ことによって達成される。事実上、これは、外側本体側壁２８と流体密に係合する外縁部６１ａおよび内側本体側壁２６と流体密に係合する内縁部６１ｂを有する環状コネクタ部６１を形成する。図１および図２に示すように、外側本体２４の上端部４２の部分５８は、内側本体２２の上端部３２が外側本体２４の上端部４２に接続される位置５６を越えて上方に延びる。
【００１６】
内側本体２２の下側本体端３６を閉鎖する内側本体端壁３８は、外側本体２４の下端部４６にある外側本体端壁４８から上方に離間して配置される。
【００１７】
内部空間６２は、一方では内側本体側壁２６と内側本体端壁３８との間に、他方では外側本体側壁２８（少なくとも位置５６より下の部分）と外側本体端壁４８との間に画定される。内部空間６２は、第１の内部空間部分６４および第２の内部空間部分６６を含む。第１の内部空間部分６４は、内側本体側壁２６の周りに円周方向に延在し、内側本体側壁と外側本体側壁２８との間に延在し、位置５６から長手方向に延び、内側本体２２の上端部３２が外側本体２４の上端部４２に接続される位置５６から外側本体端壁４８に長手方向に延在する。第２の内部空間部分６６は、内側本体端壁と外側本体端壁４８との間で内側本体端壁３８の下方に配置される。外側本体端壁３０は、飲料容器１０の炉乾燥中に内部空間６２と流体連通する通気オリフィス６８を含んでいるが、その後は、飲料容器の通常の使用中に内部空間を乾燥した中空の流体密のチャンバとして維持するために封止される。この実施形態では、通気オリフィス２４の特徴は、開状態で示されている。
【００１８】
図１の例示の実施形態は、酸化雰囲気炉焼成を用いて１，２１０℃〜１２３０℃で焼成され、約０．９％（重量）（例えば、０．９％〜１．１％（重量）の範囲（Ｈａｒｍｏｎｉｚｅｄ  Ｔａｒｉｆｆ  Ｓｃｈｅｄｕｌｅ  ｏｆ  ｔｈｅ  Ｕｎｉｔｅｄ  Ｓｔａｔｅｓ（２０１５））の吸水率を有する半透明の白色からオフホワイトの製品をもたらす。焼成物（約８７ｃｍの頂部外径および約６５ｃｍの下側外径を有する）の重量は、約４３０ｇであった（例えば、好ましい重量範囲は４２３〜４３０ｇである）。
【００１９】
別の実施形態では、外側および／または内側容器壁のうちの少なくとも１つ（好ましくは両方）は、セラミック組成物（例えば、せっ器もしくは磁器または両方の特性を有するセラミック組成物）から形成され、各々の場合において、２０％〜２５％（重量／重量）のアルミナ、好ましくは約２２％（重量／重量）のアルミナを含むセラミック組成物を提供する量のアルミナが添加されている。
【００２０】
図２は、本発明のさらなる非限定的な例として、本発明の二重壁の飲料容器１０の実施形態の側断面図を示す。図１の実施形態のように、内側本体２２および外側本体２４は、２２％（重量／重量）のアルミナを含むセラミック組成物を提供する量のアルミナが添加されているセラミック組成物（例えば、磁器、せっ器、磁器または両方の特性を有するセラミック組成物）から作られる（この場合、２２％（重量／重量）のアルミナを含むセラミック組成物を提供する量のアルミナが添加されている磁器素地配合物が使用された）。強固な接続および流体密な係合は、内側本体の上端部３２を外側本体の上端部４２に取り付ける（例えば、焼成炉内で溶融する）ことによって達成される。この実施形態では、一体型（すなわち、図１の外縁部６１ａおよび６１ｂは、図２の一体型の環状コネクタ部６１を提供するために溶融されている）の環状コネクタ部６１が形成され、そうでなければ、図２の実施形態の特徴は、図１のものと同一である。
【００２１】
図２の例示的実施形態はまた、酸化雰囲気炉焼成を用いて１，２１０℃〜１２３０℃で焼成され、約０．９％（重量）（例えば、０．９％〜１．１％（重量）の範囲の吸水率を有する半透明の白色からオフホワイトの製品をもたらす。焼成物（約８７ｃｍの頂部外径および約６５ｃｍの下側外径を有する）の重量は、約４３０ｇであった（例えば、好ましい重量範囲は４２３〜４３０ｇである）。
【００２２】
別の実施形態では、外側および／または内側容器壁のうちの少なくとも１つ（好ましくは両方）は、セラミック組成物（例えば、せっ器もしくは磁器または両方の特性を有するセラミック組成物）から形成され、各々の場合において、２０％〜２５％（重量／重量）のアルミナ、好ましくは約２２％（重量／重量）のアルミナを含むセラミック組成物を提供する量のアルミナが添加されている。
【００２３】
セラミック材料の改良
本発明の特定の態様によれば、２０％〜２５％（重量／重量）のアルミナ、好ましくは約２２％（重量／重量）のアルミナを含むセラミック組成物を提供する量のアルミナが添加されているセラミック組成物（例えば、磁器、せっ器、磁器または両方の特性を有するセラミック組成物）の使用は、より強力な材料を提供し、それにより二重壁の容器の壁厚を低減して、より軽い二重壁のセラミック容器を形成することができ、ひいては従来技術の制限を克服する。好ましくは、約２２％（重量／重量）のアルミナを含むセラミック組成物を提供する量のアルミナが添加されている磁器素地配合物組成物が使用される。好ましくは、二重壁の容器の壁厚は、１．６ｍｍより大きい。
【００２４】
本発明のさらなる態様によれば、二重壁の容器において、２０％〜２５％（重量／重量）のアルミナ、好ましくは約２２％（重量／重量）のアルミナを含むセラミック組成物を提供する量のアルミナが添加されているセラミック組成物（例えば、磁器、せっ器、磁器または両方の特性を有するセラミック組成物）の使用は、使用しなければ化学的に適切でないであろう幅広いせっ器釉薬に適した化学的多孔質構造を提供し、したがって、先行技術のさらなる制限を克服する。好ましくは、約２２％（重量／重量）のアルミナを含むセラミック組成物を提供する量のアルミナが添加されている磁器素地配合物組成物が使用される。
【００２５】
本発明のさらなる態様によれば、二重壁の容器において、２０％〜２５％（重量／重量）のアルミナ、好ましくは約２２％（重量／重量）のアルミナを含むセラミック組成物を提供する量のアルミナが添加されているセラミック組成物（例えば、磁器、せっ器、磁器または両方の特性を有するセラミック組成物）の使用は、せっ器に類似した吸水特性を提供する化学的多孔質構造を提供する。好ましくは、図１および図２に関連して論じられたように、約２２％（重量／重量）のアルミナを含む（例えば、酸化雰囲気炉焼成を用いて、１，２１０℃〜１２３０℃で焼成した）セラミック組成物を提供する量のアルミナが添加されている磁器素地配合物組成物は、その結果、水吸収率が約０．９％（重量）（例えば、０．９％〜１．１％（重量）の範囲で）の半透明の白色からオフホワイトの生成物をもたらす。
【００２６】
異なる従来のセラミック材料の比較特性を以下の表１に示す（例えば、Ｈａｒｍｏｎｉｚｅｄ  Ｔａｒｉｆｆ  Ｓｃｈｅｄｕｌｅ  ｏｆ  ｔｈｅ  Ｕｎｉｔｅｄ  Ｓｔａｔｅｓ  （２０１５）；  Ｃｈａｐｔｅｒ  ６９；  ｃｅｒａｍｉｃ  ｐｒｏｄｕｃｔｓに基づく）。本明細書に開示および／または請求項に記載される飲料容器に使用されるセラミック組成物の吸水率は、好ましくは約０．９％（例えば、０．７％〜１．１％）であり、従来のせっ器の吸水率に類似する。
表１．異なる従来のセラミック材料の比較特性
2021531047.tif 000003
【００２７】
セラミック素地配合物（例えば、せっ器用粘土素地配合物（例えば、本体について１，２１０℃（２，２１０°Ｆ）〜１，２３０℃（２，２４６°Ｆ）で焼成）は、本技術分野において、密で、硬く、ガラス状の、機能性の陶器ピースを形成するために既知であり、用いられ、典型的には、粘土、フラックス（例えば、耐熱性の粘土および充填剤の融点を下げ、ガラス形成を増加させるために使用される）および充填剤（例えば、収縮および反りを低減するために使用される）の混合物を含む。せっ器用粘土素地配合物に使用される典型的な粘土は、高温耐火粘土（例えば、せっ器用粘土、耐火粘土、ボールクレー、カオリン（プラスチックおよび非プラスチック）ならびにベントナイト）である。せっ器用粘土素地配合物中の典型的なフラックスには、長石（例えば、ソーダ、カリおよびリチウム）が含まれる。せっ器用粘土素地配合物中の典型的な充填剤は、フリント、ピロフィライト、シリカ砂、おがくず、ムライト、焼成カオリン、カイアナイト、焼成アルミナ、および種々のサイズのグロッグを含む。種々の添加剤（例えば、ベントナイト、ボールクレー、有機剤、エプソム塩およびリグノスルホン酸塩）を添加して、せっ器用粘土素地配合物の可塑性を調節することができる。
【００２８】
同様に、特徴的にカオリンを含む、磁器用素地配合物（例えば、本体について、１，３４０℃（２，４４４°Ｆ）〜１，３６０℃（２，４８０°Ｆ）で焼成）は、当技術分野において既知である。磁器配合物は、せっ器配合物に基づくことができ、典型的には、粘土、カオリン（カオリナイト；その半透明性が知られている主となる粘土）、長石、シリカおよび石英の組み合わせを含有し、任意に、他の材料（例えば、ボールクレー、骨灰、凍石、ペタンスツ、アラバスターなど）を添加してもよい。
【００２９】
二重壁容器の好適な形成方法
好ましくは、グリーンウェア部品（例えば、内側および外側セラミック本体壁）は、本明細書に論じられるような固体粘土組成物でろくろ成形マシンを使用して形成され、続いて炉焼成（例えば、酸化雰囲気炉焼成を使用して１，２１０℃〜１２３０℃で焼成）され、上側本体端３０における内側本体２２の上端部３２と、外側本体の上側本体端４０の下方の位置５６において外側本体２４の上端部４２との間に強固な接続を形成する。
【００３０】
表２は、２０％〜２５％（重量／重量）のアルミナ、好ましくは約２２％（重量／重量）のアルミナを含むセラミック組成物を提供する量のアルミナが添加されている本開示のセラミック組成物（例えば、磁器、せっ器、磁器または両者の特性を有するセラミック組成物）に対する好ましい焼成炉条件と共に、従来のせっ器および磁器素地配合物に適した典型的な焼成炉条件を示す。
表２．焼成炉条件
2021531047.tif 000004
【００３１】
当業者は、本開示に基づいて、改良され、開示された二重壁の容器は、採用されるセラミック組成物が、２０％〜２５％（重量／重量）のアルミナ、好ましくは約２２％（重量／重量）のアルミナを含むセラミック組成物を提供する量のアルミナが添加されているセラミック組成物（例えば、磁器、せっ器もしくは磁器または両方の特定を有するセラミック組成物）を含むならば、他の適切なセラミック方法を使用して形成され得ることを認識するであろう。好ましくは、２０％〜２５％（重量／重量）のアルミナ、好ましくは約２２％（重量）のアルミナを含むセラミック組成物を提供する量のアルミナが添加されているせっ器または磁器素地配合物が、本方法において使用される。
【００３２】
本開示の実施形態は、以下の条項を考慮して説明することができる。
１．二重壁の飲料容器であって、
内側本体側壁を有する内側本体であって、内側本体は内側本体の上端部に上側本体端と、内側本体の下端部に下側本体端と、内側本体の下端部を閉鎖する内側本体の下端部に配置された内側本体端壁と、を有し、内側本体端壁は内側本体の下端部にある内側本体側壁と流体密に係合した、内側本体と、
内側本体側壁の周りに完全に延在する外側本体側壁を有する外側本体であって、外側本体は、外側本体の上端部に上側本体端と、外側本体の下側本体端部に下側本体端と、外側本体の下端部を閉鎖する外側本体の下端部に配置された外側本体端壁と、を有し、外側本体端壁は、外側本体の下端部にある外側本体側壁と流体密に係合し、内側本体の上端部および外側本体の上端部は強固に接続され、流体密に係合し、その下方で外側本体側壁は内側本体側壁の外側に間隔をあけて、外側本体側壁と内側本体側壁との間に第１の内部空間を画定し、外側本体端壁は内側本体端壁の下方に間隔をあけて配置されて、外側本体端壁と内側本体端壁との間に第２の内部空間を提供する、外側本体と、を含み、
内側本体側壁および外側本体側壁のうちの少なくとも１つは、２０〜２５％（重量／重量）の量のアルミナを含むセラミック組成物から形成されている、二重壁の飲料容器。
【００３３】
２．内側本体側壁および外側本体側壁の両方が、２０〜２５％（重量／重量）の量のアルミナを含むセラミック組成物から形成されている、項１に記載の飲料容器。
【００３４】
３．セラミック組成物が、約２２％（重量／重量）のアルミナを含む、項１または２に記載の飲料容器。
【００３５】
４．セラミック組成物が、せっ器もしくは磁器のもの、または両方の特性を有するセラミック組成物であり、各々の場合において、２０％〜２５％（重量／重量）のアルミナを含むセラミック組成物を提供する量のアルミナが添加されており、せっ器釉薬に適した多孔質構造を提供する、項１または２のいずれか１項に記載の飲料容器。
【００３６】
５．セラミック組成物が、せっ器もしくは磁器のもの、または両方の特性を有するセラミック組成物であり、各々の場合において、約２２％（重量／重量）のアルミナを含むセラミック組成物を提供する量のアルミナが添加されており、せっ器釉薬に適した多孔質構造を提供する、項４に記載の飲料容器。
【００３７】
６．セラミック組成物が、せっ器または磁器組成物であり、各々の場合において、２０％〜２５％（重量／重量）のアルミナを含むセラミック組成物を提供する量のアルミナが添加されており、せっ器釉薬に適した多孔質構造を提供する、項４に記載の飲料容器。
【００３８】
７．セラミック組成物が、せっ器または磁器組成物であり、各々の場合において、約２２％（重量／重量）のアルミナを含むセラミック組成物を提供する量のアルミナが添加されている、項６に記載の飲料容器。
【００３９】
８．セラミック組成物は、約２２％（重量／重量）のアルミナを含むセラミック組成物を提供する量のアルミナが添加されている磁器組成物である、項７に記載の飲料容器。
【００４０】
９．内側本体側壁および外側本体側壁の両方が、せっ器釉薬に適した多孔質構造を提供する量のアルミナが添加されている磁器組成物から形成されている、項２ないし８のいずれか１項に記載の飲料容器。
【００４１】
１０．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第１の壁厚は、内側本体側壁および外側本体側壁の対向する位置において、第３の壁厚と同じか、またはそれよりも小さい、項１ないし９のいずれか１項に記載の飲料容器。
【００４２】
１１．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第２の壁厚は、内側本体側壁および外側本体側壁の対向する位置において、第４の壁厚と同じか、またはそれよりも小さい、項１ないし１０のいずれか１項に記載の飲料容器。
【００４３】
１２．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第１の壁厚および第２の壁厚は、内側本体側壁および外側本体側壁の対向する位置において、第４の壁厚および第５の壁厚よりも小さい、項１ないし１１のいずれか１項に記載の飲料容器。
【００４４】
１３．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第１の壁厚および／または第３の壁厚は、それぞれ、内側本体および外側本体の上端部と内側本体および外側本体の下端部との間でテーパ状になっている、項１ないし１２のいずれか１項に記載の飲料容器。
【００４５】
１４．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第１の壁厚および第２の壁厚は、約１．７〜約２．１ｍｍの範囲にある、項１ないし１３のいずれか１項に記載の飲料容器。
【００４６】
１５．内側本体の上端部に向かう内側本体側壁は第１の壁厚を有し、内側本体の下端部に向かう内側本体側壁は第２の壁厚を有し、外側本体の上端部に向かう外側本体側壁は第３の壁厚を有し、外側本体の下端部に向かう外側本体側壁は第４の壁厚を有し、第３の壁厚および第４の壁厚は、それぞれ、約２．６〜約３．０ｍｍおよび約３．０〜約４．３ｍｍの範囲にある、項１ないし１４のいずれか１項に記載の飲料容器。
【００４７】
１６．外側本体端壁が、開口状態または閉鎖密閉状態において通気オリフィス特徴を含む、項１ないし１５のいずれか１項に記載の飲料容器。
【００４８】
１７．内側本体端壁が、２．８〜３．２ｍｍの範囲の厚さを有する、項１ないし１６のいずれか１項に記載の飲料容器。
【００４９】
１８．外側本体端壁が、３．８〜４．２ｍｍの範囲の厚さを有する、項１ないし１７のいずれか１項に記載の飲料容器。
【００５０】
１９．飲料容器を形成する方法であって、２０〜２５％（重量／重量）の量のアルミナを含むセラミック組成物を用いて二重壁の飲料容器を形成することを含む、方法。
【００５１】
２０．二重壁の飲料容器が、項１ないし１８のいずれか１項に従う、項１９に記載の方法。
【００５２】
２１．この量のアルミナを除いて化学的に適さない釉薬を飲料容器に施釉することをさらに含む、項１９または２０に記載の方法。
【００５３】
上述の実施形態は、異なる他の構成要素内に含有される、あるいはこれと接続される異なる構成要素を示す。このような図示されたアーキテクチャは単に例示であり、実際、同じ機能性を達成する多くの他のアーキテクチャを実装することができると理解すべきである。概念的な意味では、同じ機能性を達成するための構成要素の任意のアレンジメントは、所望の機能性が達成されるように、効果的に「関連」する。したがって、特定の機能性を達成するために組み合わされる本明細書の任意の２つの構成要素は、アーキテクチャまたは中間構成要素に関係なく、所望の機能性が達成されるように、互いに「関連」すると見ることができる。同様に、このように関連した任意の２つの構成要素は、所望の機能性を達成するために互いに「動作可能に接続」または「動作可能に結合」されているとみなすこともできる。
【図１】
2021531047.tif 000005
【図２】
2021531047.tif 000006
【国際調査報告】
2021531047.tif 000007
2021531047.tif 000008